(57)【要約】【課題】容易に設計・製造をすることができるとともに、見る人に与える閉塞感を十分に小さくすることができ、少なくとも３種類の異なる像を表示させる像パターン形成媒体、可変表示構造および可変表示媒体を提供することを目的とする。【解決手段】像パターン形成媒体１は、少なくとも３種類の異なる像を表示するのに用いられ、少なくとも３種類の像のそれぞれをほぼ同一幅の多数の線状帯１１に分割し、各像の線状帯１１を像の数に応じて飛び飛びに抽出して順次１本ずつ隣接させて同一面上に１列に配列した像パターン形成層１２を有し、少なくとも１本の線状帯１１を遮る遮光帯２１が同一面上に１列に、かつ、互いに一定の間隔を空けて配列した遮光パターン配列層２２に対して、像パターン形成層１２がほぼ平行に対向するように設置して用いられることを特徴とする。【選択図】  図１
2005055530.tif 000002
【特許請求の範囲】
【請求項１】
少なくとも３種類の異なる像を表示するのに用いられる像パターン形成媒体であって、
少なくとも３種類の像のそれぞれをほぼ同一幅の多数の線状帯に分割し、各像の線状帯を像の数に応じて飛び飛びに抽出して順次隣接させて同一面上に１列に配列した像パターンが形成された像パターン形成層を有し、
前記像パターン形成層が少なくとも１本の前記線状帯を遮る幅の遮光帯を同一面上に１列に、かつ、同一の像から抽出された線状帯を遮るように互いに一定の間隔を空けて配列した遮光パターン配列層に対してほぼ平行に対向するように設置して用いられ、
前記線状帯の幅をｂ、隣接する前記遮光帯同士の間隔をｃとしたとき、
１＜ｃ／ｂの関係を満足することを特徴とする像パターン形成媒体。
【請求項２】
前記線状帯の幅が、該線状帯の幅をｂとし隣接する前記遮光帯同士の間隔をｃとしたときｃ／ｂ≦２の関係を満足する請求項１に記載の像パターン形成媒体。
【請求項３】
使用時において、前記像パターン形成層が、前記遮光帯の幅方向に、前記遮光パターン配列層に対して相対的に移動可能となるようにして用いられる請求項１または２に記載の像パターン形成媒体。
【請求項４】
シート状または板状の形状を有する請求項１ないし３のいずれかに記載の像パターン形成媒体。
【請求項５】
前記遮光パターン配列層は、シート状または板状の媒体上に形成されたものである請求項１ないし４のいずれかに記載の像パターン形成媒体。
【請求項６】
少なくとも３種類の異なる像を表示させる可変表示構造であって、
請求項１ないし５のいずれかに記載のように像パターンが形成された像パターン形成媒体と、
少なくとも１本の線状帯を遮る遮光帯を同一面上に１列に、かつ、同一の像から抽出された線状帯を遮るように互いに一定の間隔を空けて配列した遮光パターン配列層を備えた遮光パターン配列媒体とを有することを特徴とする可変表示構造。
【請求項７】
前記像パターン形成層が前記遮光帯の幅方向に、前記遮光パターン配列層に対して相対的に移動可能である請求項６に記載の可変表示構造。
【請求項８】
少なくとも３種類の異なる像を表示させる可変表示媒体であって、
請求項１ないし５のいずれかに記載のように像パターンが形成された像パターン形成媒体と、
前記像パターン形成層を構成する少なくとも１本の線状帯を遮る遮光帯を同一面上に１列に、かつ、互いに一定の間隔を空けて配列した遮光パターン配列層を備えた遮光パターン配列媒体とを有し、
前記像パターン形成層と前記遮光パターン配列層とは、所定の距離を隔てて、ほぼ平行に固定されており、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示媒体。
【請求項９】
前記像パターン形成層と前記遮光パターン配列層との間に、所定の厚さの透明基板を有し、
前記透明基板の一方の面に前記像パターン形成層を有し、対向する他方の面に前記遮光パターン配列層を有する請求項８に記載の可変表示媒体。
【発明の詳細な説明】
【０００１】
【発明の属する技術分野】
本発明は、像パターン形成媒体、可変表示構造および可変表示媒体に関し、さらに詳しくは、少なくとも３種類の異なる像を表示させるための像を形成する像パターン形成媒体、その構造を有する可変表示構造および可変表示媒体に関する。
【０００２】
【従来の技術】
従来から印刷物には、複数の像を表示するように加工を施したものが知られている。
【０００３】
例えば、この種の印刷物としては、１枚のシート上に複数の像についての帯状圧縮画像を印刷した１枚のシートと、このシート上の帯状圧縮像のそれぞれを視線角度に応じて拡大して表示するレンチキュラーレンズ群とによって構成する構造が知られている（例えば、特許文献１）。
【０００４】
また、コード化された複数の絵柄を配列したパネルと、このパネル上のコード化された絵柄の中の１つの絵柄以外の絵柄を隠すシャッターパネルとによって構成する構造も知られている（例えば、特許文献２）。
【０００５】
しかしながら、上述した特許文献１に記載の印刷物の構造では、レンチキュラーレンズを利用しているため、焦点が合うようにシートとレンチキュラーレンズを合わせ込む必要があり、レンズの焦点距離の設計やその製造も複雑である。
【０００６】
また、特許文献２に記載の印刷物の構造では、像の数を増やそうとすると、遮光帯の幅が太くなり、見る人に閉塞感を与えてしまうという問題があった。そのため、見る人に閉塞感を与えずに、像の数を増やしたいという要求があった。
【０００７】
【特許文献１】
特開平９−２３６８７５号公報
【特許文献２】
米国特許第５，９０１，４８４
【０００８】
【発明が解決しようとする課題】
本発明は、容易に設計・製造をすることができるとともに、見る人に与える閉塞感を十分に小さくすることができ、少なくとも３種類の異なる像を表示させる像パターン形成媒体、可変表示構造および可変表示媒体を提供することを目的とする。
【０００９】
【課題を解決するための手段】
このような目的は、下記（１）〜（９）の本発明により達成される。
【００１０】
（１）  少なくとも３種類の異なる像を表示するのに用いられる像パターン形成媒体であって、
少なくとも３種類の像のそれぞれをほぼ同一幅の多数の線状帯に分割し、各像の線状帯を像の数に応じて飛び飛びに抽出して順次隣接させて同一面上に１列に配列した像パターンが形成された像パターン形成層を有し、
前記像パターン形成層が少なくとも１本の前記線状帯を遮る幅の遮光帯を同一面上に１列に、かつ、同一の像から抽出された線状帯を遮るように互いに一定の間隔を空けて配列した遮光パターン配列層に対してほぼ平行に対向するように設置して用いられ、
前記線状帯の幅をｂ、隣接する前記遮光帯同士の間隔をｃとしたとき、
１＜ｃ／ｂの関係を満足することを特徴とする像パターン形成媒体。
【００１１】
（２）  前記線状帯の幅が、該線状帯の幅をｂとし隣接する前記遮光帯同士の間隔をｃとしたときｃ／ｂ≦２の関係を満足する上記（１）に記載の像パターン形成媒体。
【００１２】
（３）  使用時において、前記像パターン形成層が、前記遮光帯の幅方向に、前記遮光パターン配列層に対して相対的に移動可能となるようにして用いられる上記（１）または（２）に記載の像パターン形成媒体。
【００１３】
（４）  シート状または板状の形状を有する上記（１）ないし（３）のいずれかに記載の像パターン形成媒体。
【００１４】
（５）  前記遮光パターン配列層は、シート状または板状の媒体上に形成されたものである上記（１）ないし（４）のいずれかに記載の像パターン形成媒体。
【００１５】
（６）  少なくとも３種類の異なる像を表示させる可変表示構造であって、
上記（１）ないし（５）のいずれかに記載のように像パターンが形成された像パターン形成媒体と、
少なくとも１本の線状帯を遮る遮光帯を同一面上に１列に、かつ、同一の像から抽出された線状帯を遮るように互いに一定の間隔を空けて配列した遮光パターン配列層を備えた遮光パターン配列媒体とを有することを特徴とする可変表示構造。
【００１６】
（７）  前記像パターン形成層が前記遮光帯の幅方向に、前記遮光パターン配列層に対して相対的に移動可能である上記（６）に記載の可変表示構造。
【００１７】
（８）  少なくとも３種類の異なる像を表示させる可変表示媒体であって、
上記（１）ないし（５）のいずれかに記載のように像パターンが形成された像パターン形成媒体と、
前記像パターン形成層を構成する少なくとも１本の線状帯を遮る遮光帯を同一面上に１列に、かつ、互いに一定の間隔を空けて配列した遮光パターン配列層を備えた遮光パターン配列媒体とを有し、
前記像パターン形成層と前記遮光パターン配列層とは、所定の距離を隔てて、ほぼ平行に固定されており、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示媒体。
【００１８】
（９）  前記像パターン形成層と前記遮光パターン配列層との間に、所定の厚さの透明基板を有し、
前記透明基板の一方の面に前記像パターン形成層を有し、対向する他方の面に前記遮光パターン配列層を有する上記（８）に記載の可変表示媒体。
【００１９】
【発明の実施の形態】
以下、本発明の好適な実施形態を添付図面に基づいて詳細に説明する。
【００２０】
図１は、本発明の可変表示構造の第一実施形態を模式的に示す断面図である。
この可変表示構造１００は、後に詳述するように、４種類の像を分割して得られる線状帯１１を所定のパターンで配列させた像パターンが形成された像パターン形成層１２が形成された像パターン形成媒体１と、線状帯１１を遮る遮光帯２１を互いに一定の間隔を空けて配列させた遮光パターン配列層２２が形成された遮光パターン配列媒体２とを有している。
【００２１】
像パターン形成媒体１と遮光パターン配列媒体２とは、ほぼ平行に対向するように設置されるものであるが、図示の構成では、像パターン形成層１２と遮光パターン配列層２２とが当接するように設置されている。
【００２２】
また、本実施形態の可変表示構造１００では、像パターン形成媒体１（像パターン形成層１２）が、遮光帯２１の幅方向（図１中β方向）に、前記遮光パターン配列媒体２（遮光パターン配列層２２）に対して相対的に移動可能となっている。
【００２３】
本実施形態の可変表示構造１００は、像パターン形成媒体１が前記遮光パターン配列媒体２に対して相対的に移動するのに伴い、遮光パターン配列層２２の像パターン形成層１２に対向する面とは反対側から見た際に、主に、図２〜５に示すような像Ａ、Ｂ、Ｃ、Ｄが確認されるものである。
【００２４】
本実施形態において、像パターン形成層１２（像パターン形成媒体１）は、４種類の像のそれぞれをほぼ同一幅の多数の線状帯１１に分割し、各像の線状帯１１を像の数に応じて飛び飛びに抽出して順次１本ずつ互い違いに隣接させて同一面上に１列に配列したものである。すなわち、本実施形態の可変表示構造１００は、主に、像Ａ、Ｂ、Ｃ、Ｄの４通りの像を表示することができるものであり、像パターン形成層１２は、図２で示す像Ａを構成するＡ１、Ａ２、…Ａ９の線状帯１１と、図３中の像Ｂを構成するＢ１、Ｂ２、…Ｂ９の線状帯１１と、図４中の像Ｃを構成するＣ１、Ｃ２、…Ｃ９の線状帯１１と、図５中の像Ｄを構成するＤ１、Ｄ２、…Ｄ９の線状帯１１とを有し、図６に示すように、前述した線状帯１１が互いに隣接するように、Ａ１、Ｂ１、Ｃ１、Ｄ１、Ａ２、Ｂ２、Ｃ２、Ｄ２、…Ａ９、Ｂ９、Ｃ９、Ｄ９の順に所定の方向（図示の構成では、図中右から左の方向）に沿って、規則正しく配列したものである。
【００２５】
像パターン形成媒体１は、シート状部材４に前述したような像パターン形成層１２が形成されたものである。このような材料としては、例えば、紙、アルミニウム板、ステンレス板、鋼板、ガラス板、アクリルフィルム、塩化ビニルフィルム、ポリエステルフィルム、ポリカーボネートフィルム、ポリウレタンフィルム、ポリエチレンフィルム、ポリプロピレンフィルム等が挙げられる。なお、用途に応じていずれの硬さのものを用いてもよい。
【００２６】
遮光パターン配列媒体２上に形成された遮光パターン配列層２２は、図７に示すように、ほぼ同一幅の遮光帯２１を複数有している。このような遮光帯２１は、互いにほぼ一定の間隔を開けて配列し、隣接する遮光帯２１同士の間に開口部２３を形成している。なお、図示の構成では、遮光帯２１の幅が、隣接する遮光帯２１の間隔ｃ（開口部２３の幅）とほぼ同一のものであるが、これに限定されず、遮光パターン配列層２２上の像の数によって、適宜、遮光帯２１の幅は増減されるものである。
【００２７】
このような遮光パターン配列媒体２は、実質的に透明な材料で構成されたシート状部材４に前述したような遮光パターン配列層２２が形成されたものである。このような実質的に透明な材料としては、例えば、ガラス板、アクリルフィルム、塩化ビニルフィルム、ポリエステルフィルム、ポリカーボネートフィルム等が挙げられる。なお、ポリエチレンフィルム、ポリプロピレンフィルム、ポリウレタンフィルム、または金属板や不透明な板に遮光帯２１を配して穴を開けて開口部２３を形成した構成であってもよい。また、用途に応じていずれの硬さのものを用いてもよい。
【００２８】
なお、実質的に透明とは、像パターン形成層の色、図柄が確認できればよく、透明または半透明を意味する。
【００２９】
本発明では、遮光帯２１の幅をａ［ｍｍ］、線状帯１１の幅をｂ［ｍｍ］、隣接する遮光帯２１同士の間隔（開口部２３の幅）をｃ［ｍｍ］、像の数をｎとしたとき、ａ＋ｃ＝ｎｂの関係をほぼ満足している。
【００３０】
さらに、本発明では、線状帯１１の幅をｂ［ｍｍ］、隣接する遮光帯２１同士の間隔（開口部２３の幅）をｃ［ｍｍ］としたとき、１＜ｃ／ｂの関係を満足することを特徴とする。すなわち、遮光帯同士の間隔が線状帯より広いので遮光帯同士の間から隣接する２つ以上の線状帯が観察できる。
【００３１】
このような関係を同時に満足することにより、遮光帯２１間のどの開口部２３からも同一の像から抽出された線状帯１１が観察でき、像の数が比較的多い場合であっても、見る人に与える閉塞感を十分抑制しつつ、より多くの像を表示することができる。また、これにより、連続的に形状が変化するような視覚効果が得られる。例えば、本実施形態でいうと、大きい円が徐々に小さくなっていくような視覚効果が得られる。
【００３２】
このように本発明では、線状帯１１の幅をｂ［ｍｍ］、隣接する遮光帯２１同士の間隔（開口部２３の幅）をｃ［ｍｍ］としたとき、１＜ｃ／ｂの関係を満足するものであるが、１＜ｃ／ｂ≦２の関係を満足するのが好ましい。ｃ／ｂが前記下限値未満であると、常に隣接する線状帯１１を観察できなくなり、像のスムーズな可変が妨げられる。また、連続的に形状が変化するような視覚効果が得られないおそれがある。また、ｃ／ｂが大きすぎると、像パターン形成層１２を構成する隣接していない像が同時に観察され、図柄によっては連続的に形状が変化するような視覚効果が得られないおそれがある。
【００３３】
以上説明したような像パターン形成層１２と遮光パターン配列層２２は、例えば、各種プリンターによる印刷、凸版印刷等の各種印刷技術や多色成形等によって形成してもよいし、また、着色シートや印刷シートから切り出したシート片で形成してもよい。
【００３４】
次に、本発明の好適な実施形態の他の一例について説明する。
図８は、本発明の可変表示構造（可変表示媒体）の第２実施形態を模式的に示す断面図である。
【００３５】
以下、図８に示す可変表示構造（可変表示媒体）１００’について、それぞれ、前述した可変表示構造１００との相違点を中心に説明し、同様の事項については、その説明を省略する。
【００３６】
可変表示構造１００’は、像パターン形成層１２と、遮光パターン配列層２２と、透明基板３とを有している。
【００３７】
本実施形態の可変表示構造１００’は、像パターン形成層１２と遮光パターン配列層２２とが、所定の間隔を空けて、ほぼ平行に対向するように（像パターン形成層１２と遮光パターン配列層２２との距離がほぼ一定となるように）固定されているものである。
【００３８】
すなわち、図８に示すように、可変表示構造１００’は、透明基板３の一方の面に、像パターン形成層１２が形成され、対向する他方の面に遮光パターン配列層２２が形成されたものであり、前述した第１実施形態で説明した像パターン形成媒体１と遮光パターン配列媒体２とが一体となった構造を有するものと言うことができる。
【００３９】
このように、像パターン形成層１２と遮光パターン配列層２２とが、所定の間隔を空けて、ほぼ平行に対向するように固定されたものであると、遮光パターン層２２の像パターン形成層１２に対向する面とは反対側から見た際に、可変表示構造１００’を動かさなくても、見る角度によって、異なる像を視認することができるという視覚効果が得られるものとなる。また、これにより、可変表示構造１００’が比較的大型のものであっても、容易に製造することができる。また、多くの人が同時に像を視認することができる。
【００４０】
透明基板３は、像パターン形成層１２と遮光パターン配列層２２との間隔を、所定のものとする機能を有しており、実質的に透明な材質で構成されたものであれば、いかなる材質のもので構成されたものであってもよい。このような実質的に透明な材質としては、例えば、ガラス板、アクリル板、ポリカーボネート板、ポリエステル板、塩化ビニル板等が挙げられる。なお、用途に応じていずれの硬さのものを用いてもよい。
【００４１】
像パターン形成層１２と遮光パターン配列層２２との間隔をＬ［ｍｍ］、遮光帯２１の幅をａ［ｍｍ］、隣接する遮光帯２１の間隔をｃ［ｍｍ］としたとき、０．２≦Ｌ／（ａ＋ｃ）≦４であることが好ましく、０．４≦Ｌ／（ａ＋ｃ）≦３であることがより好ましく、０．４≦Ｌ／（ａ＋ｃ）≦２であることがさらに好ましい。Ｌ／（ａ＋ｃ）が０．２より小さいと、遮光帯２１に隠れて観察が困難となる線状帯１１が生じる場合がある。また、Ｌ／（ａ＋ｃ）が４より大きいと、観察位置によっては、同一の像から分割した線状帯１１が複数観察される場合があり、連続的に形状が変化するような視覚効果が十分に得られない可能性がある（図９参照）。
【００４２】
次に、上述した可変表示構造１００’が複数の像を表示する原理・作用を説明する。
【００４３】
図９は、本発明の可変表示構造（可変構造媒体）の原理を説明する概念図である。なお、図中では、上述した透明基板３を省略し、線状帯１１と遮光帯２１のみを描いてある。また、図中、線状帯１１と遮光帯２１との間の距離をＬとし、観察点（人）Ｘが遮光帯２１から距離Ｚだけ離れた位置を矢印α方向（図中左）に移動する場合を説明する。また、説明をわかりやすくするため、各像Ａ〜Ｄを構成する線状帯１１を、それぞれ線状帯１１Ａ、１１Ｂ、１１Ｃ、１１Ｄとして説明する。
【００４４】
観察点Ｘが位置Ｙ１に来ると、線状帯１１Ａ、１１Ｂ、１１Ｃが観察点Ｘに対して遮光帯２１の間（開口部２３）から露出する。このとき、観察点Ｘからは、見えている中で一番幅が広い線状帯１１Ｂが優先的に認識され、図３に示すような円（像Ｂ）が表示されているように認知される。
【００４５】
観察点Ｘが位置Ｙ２に来ると、線状帯１１Ｂ、１１Ｃ、１１Ｄが観察点Ｘに対して開口部２３から露出する。このとき、観察点Ｘからは、見えている中で一番幅が太い線状帯１１Ｃが優先的に認識され、図４に示すような円（像Ｃ）が表示されているように認知される。
【００４６】
観察点Ｘが位置Ｙ３に来ると、線状帯１１Ｃ、１１Ｄ、１１Ａが観察点Ｘに対して開口部２３から露出する。このとき、観察点Ｘからは、見えている中で一番幅が広い線状帯１１Ｄが優先的に認識され、図５に示すような円（像Ｄ）が表示されているように認知される。
【００４７】
同様にして、観察点Ｘがさらに図中左方向に移動すると、図２に示すような円（像Ａ）が表示されているように認知することができる。
【００４８】
なお、前述した実施形態における可変表示構造１００では、観察点Ｘが所定の位置に固定されていて、像パターン形成層１２または遮光パターン配列層２２が移動することによって、上記と同様の視覚効果を得ることができる。
【００４９】
以上、本発明の好適な実施形態について説明したが、本発明はこれに限定されるものではなく、各部材（各部）の構成は、同様の機能を有する任意のものに置換すること、もしくは、任意の構成を付加することもできる。
【００５０】
例えば、前述した第１実施形態では、像パターン形成層１２と遮光パターン配列層２２とが当接した構成について説明したが、これに限定されず、例えば、図１０に示す可変表示構造１００のように、像パターン形成媒体１の像パターン形成層１２が形成されていない面と、遮光パターン配列媒体２の遮光パターン配列層２２が形成されていない面とが当接した構成であってもよい。このような構成とすると、各層のパターンが比較的柔らかい材質で削れやすいものであっても、擦れて削れたりするのを防止することができる。また、像パターン形成媒体１の像パターン形成層１２が形成されている面と、遮光パターン配列媒体２の遮光パターン配列層２２が形成されていない面とが当接するものであってもよいし、像パターン形成媒体１の像パターン形成層１２が形成されていない面と、遮光パターン配列媒体２の遮光パターン配列層２２が形成されている面とが当接するものであってもよい。
【００５１】
また、前述した実施形態では、透明基板３の表面に、像パターン形成層１２と遮光パターン配列層２２とを直接形成したものについて説明したが、これに限定されず、例えば、図１１に示す可変表示構造のように、実質的に透明なシート状部材４の表面に像パターン形成層１２を形成させた像パターン形成媒体１と、別のシート状部材４の表面に遮光パターン配列層２２を形成させた遮光パターン配列媒体２とを、それぞれ透明基板３の表面に、互いに対向するように貼着させたものであってもよい。このような構成とすることにより、既存のガラス（例えば、ショーウィンドウ等）等の表面に貼り付けることができ、既存の設備をそのまま利用することができる。さらに、張り替えによって、表示する像のパターンを容易に変えることもできる。なお、像パターン形成層１２と遮光パターン配列層２２のうち、一方が、直接透明基板３上に形成され、他方が前述のような板状またはシート状部材４上に形成されたものであってもよい。
【００５２】
また、本発明の可変表示構造は、図１２に示すように、実質的に透明な板状部材（シート状部材４）の表面に像パターン形成層１２を形成させた像パターン形成媒体１と、別の板状部材４の表面に遮光パターン配列層２２を形成させた遮光パターン配列媒体２とを、スペーサ５を介して、ほぼ平行に所定の間隔で固定して用いられるものであってもよい。なお、図示の構成のように、像パターン形成層１２が像パターン形成媒体１の遮光パターン配列媒体２側に形成されている場合、像パターン形成媒体１は透明でなくてもよい。また、図示のような構成である場合、例えば、スペーサ５の長さを調節することによって、像パターン形成層１２と遮光パターン配列層２２との間隔を調節することができる。また、スペーサ５の代わりに、例えば、ボルトナット等で、前記間隔を連続的に調節可能な調節手段を有するものであってもよい。
【００５３】
また、前述した実施形態では、４種類の像を表示できるものについて説明したが、これに限定されず、３種類であってもよいし、５種類以上であってもよい。
【００５４】
また、前述した実施形態では、像パターンとして四角、円、三角といった形状の場合を説明したが、像パターンはこのようなものに限定されず、これら以外の絵柄、図形、文字、記号、模様、写真等のいずれか一つまたはこれらの組み合わせであってもよい。また、何も表示されない無地の状態のものも、一つの像パターンとしてもよい。
【００５５】
また、前述した実施形態では、像パターン形成層１２と遮光パターン配列層２２とが平面状に形成されたものについて説明したが、これに限定されず、像パターン形成層１２と遮光パターン配列層２２とが、曲面状に形成されたものであってもよい。
【００５６】
また、前述した実施形態では、幅が一番太い線状帯１１が認識されるものとして説明したが、例えば、各像または各線状帯の色を変えることによって、優先的に見える像を制御することもできる。
【００５７】
また、前述した第２実施形態では、人が移動して可変表示媒体を見る場合について説明したが、これに限定されない。例えば、線路脇や道路脇に所定面積の可変表示媒体を設置しておけば、常に、所定距離を隔てて人が可変表示媒体を見ることになるため、設計者の意図どおりの絵柄等の像を人に見せることができる。
【００５８】
【実施例】
（実施例１）
４つの円（Ａ、Ｂ、Ｃ、Ｄ）の像を印刷したシートを用意し、それぞれを５ｍｍ幅にそれぞれを３６分割しそれぞれ３本おきに抽出して綿状帯（Ａ１、Ａ２、・・・Ｄ８、Ｄ９）を作成し、これら綿状帯を図６に示すように順次隣接した状態で厚さ１００μｍのポリエチレンテレフタレートフィルム（シート状部材４）上に配列した像パターン形成層１２を形成した像パターン形成媒体１を作成した。
【００５９】
一方、印刷（黒色インク）により、図７に示すように１２ｍｍ幅の遮光帯２１を、厚さ１００μｍのポリエチレンテレフタレートフィルム上に８ｍｍの間隔を空けて配列した遮光パターン配列層２２を形成した遮光パターン配列媒体２を作成した。
【００６０】
次に、像パターン形成媒体１と遮光パターン配列媒体２とからなる可変表示構造を図１に示すように像パターン形成媒体１と遮光パターン配列媒体２同士を積層し、図１に示すような本発明の可変表示媒体１００を製造した。
【００６１】
遮光パターン配列媒体２を像パターン形成媒体１に対し相対的に移動（図１中矢印β方向）すると、４つの像が連続して視認され（図２ないし図５参照）、像の変化はスムーズであった。
【００６２】
（実施例２）
透明基板３として厚さ２０ｍｍのアクリル板を用意し、実施例１と同様に、この透明基板３の一方の面に像パターン形成層１２を他方の面に遮光パターン配列層２２を形成し、図８に示すような本発明の可変表示媒体１００’を製造した。
【００６３】
遮光パターン配列層２２側から１ｍ（Ｚ）離れた位置から本発明の可変表示媒体１００’を移動（図８中矢印α方向）しながら観察したところ、４つの像が連続して視認され（図２ないし図５参照）、像の変化はスムーズであった。
【００６４】
（実施例３）
実施例１で製造した像パターン形成媒体１と遮光パターン配列媒体２とからなる可変表示構造を図１に示すように像パターン形成媒体１と遮光パターン配列媒体２のポリエチレンテレフタレートフィルム同士を積層し、図１０に示すような本発明の可変表示媒体１００を製造した。
【００６５】
遮光パターン配列媒体２を像パターン形成媒体１に対し相対的に移動（図１０中矢印β方向）すると、４つの像が連続して視認され（図２ないし図５参照）、像の変化はスムーズであった。
【００６６】
（実施例４）
実施例１で製造した像パターン形成媒体１と遮光パターン配列媒体２とを用意し、図１１に示すように厚さ２０ｍｍのアクリル板（透明基板）の一方の面に像パターン形成媒体１を他方の面に遮光パターン配列媒体２をそれぞれ積層し、図１１に示すような本発明の可変表示媒体１００を製造した。
【００６７】
遮光パターン配列媒体２側から約１ｍ（Ｚ）離れた位置から本発明の可変表示媒体１００’を移動（図１１中矢印α方向）しながら観察したところ、４つの像が連続して視認され（図２ないし図５参照）、像の変化はスムーズであった。
【００６８】
（実施例５）
実施例３と同様に、像パターン形成層１２と遮光パターン配列層２２をそれぞれポリエチレンテレフタレートフィルムの代わりに、厚さ５ｍｍのポリカーボネート樹脂板（シート状部材４）上に形成した。
【００６９】
次に、厚さ１５ｍｍのスペーサ５を介してそれぞれのシート状部材４を接着し、図１２に示すような本発明の可変表示媒体１００’を製造した。
【００７０】
遮光パターン配列媒体２側から約１ｍ（Ｚ）離れた位置から本発明の可変表示媒体１００’を移動（図１２中矢印α方向）しながら観察したところ、４つの像が次々に視認された（図２ないし図５参照）。
【００７１】
【発明の効果】
以上述べたように、本発明によれば、見る人に与える閉塞感を十分に抑制しつつ、多数の異なる像を表示させることができる。そのため、店舗のショーウィンドウに設置することによって、広告効果を狙うことも可能になる。また、印刷技術や貼着技術によって製造することができるため、複雑な像であっても、容易に設計・製造をすることができる。また、連続的に形状が変化するような視覚効果が得られる。
【図面の簡単な説明】
【図１】本発明の可変表示構造の第１実施形態を模式的に示す断面図である。
【図２】本発明の可変表示構造の遮光パターン層側から見た平面図である。
【図３】本発明の可変表示構造の遮光パターン層側から見た平面図である。
【図４】本発明の可変表示構造の遮光パターン層側から見た平面図である。
【図５】本発明の可変表示構造の遮光パターン層側から見た平面図である。
【図６】像パターン形成層（像パターン形成媒体）を説明する平面図である。
【図７】遮光パターン配列媒体を説明する平面図である。
【図８】本発明の可変表示構造（可変表示媒体）の第２実施形態を模式的に示す断面図である。
【図９】本発明の可変表示構造（可変表示媒体）の原理を説明する概念図である。
【図１０】本発明の可変表示構造（可変表示媒体）の他の一例を模式的に示す断面図である。
【図１１】本発明の可変表示構造（可変表示媒体）の他の一例を模式的に示す断面図である。
【図１２】本発明の可変表示構造（可変表示媒体）の他の一例を模式的に示す断面図である。
【符号の説明】
１          像パターン形成媒体
１１、１１Ａ、１１Ｂ、１１Ｃ、１１Ｄ    線状帯
１２        像パターン形成層
２          遮光パターン配列媒体
２１        遮光帯
２２        遮光パターン配列層
２３        開口部
３          透明基板
４          シート状部材
５          スペーサ
１００、１００’      可変表示構造（可変表示媒体）
【図１】
2005055530.tif 000003
【図２】
2005055530.tif 000004
【図３】
2005055530.tif 000005
【図４】
2005055530.tif 000006
【図５】
2005055530.tif 000007
【図６】
2005055530.tif 000008
【図７】
2005055530.tif 000009
【図８】
2005055530.tif 000010
【図９】
2005055530.tif 000011
【図１０】
2005055530.tif 000012
【図１１】
2005055530.tif 000013
【図１２】
2005055530.tif 000014